(57)【要約】【課題】  本発明の目的は、鉄骨柱への取り付けが容易であり、且つ鉄骨柱を確実に保持して立設させることが可能な、鉄骨柱の吊り治具を提供する。【解決手段】  吊り上げ装置に連結されて建築用の鉄骨柱を懸吊する吊り治具１０であって、鉄骨柱の外周部には、作業用の梯子を取り付けるための中空部を有する係合部が設けられ、吊り治具１０は、鉄骨柱に三方から係合可能な略コ字形の本体部１１と、この本体部１１に設けられ、吊り上げ装置との連結部材が配設される連結部材配設部１４と、本体部１１の内壁面１１ａに設けられ、鉄骨柱の係合部に、鉄骨柱の基部側から頂部側に向けて差し込まれる係合片１２とを備えている。【選択図】  図１
2005290786.tif 000002
【特許請求の範囲】
【請求項１】
吊り上げ装置に連結されて建築用の鉄骨柱を懸吊する吊り治具であって、
前記鉄骨柱の外周部には、作業用の梯子を取り付けるための、中空部を有する係合部が設けられ、
該吊り治具は、前記鉄骨柱に三方から係合可能な略コ字形の本体部と、
該本体部に設けられ、前記吊り上げ装置との連結部材が配設される連結部材配設部と、
前記本体部の内壁面に設けられ、前記鉄骨柱の係合部に、前記鉄骨柱の基部側から頂部側に向けて差し込まれる係合片とを備えたことを特徴とする吊り治具。
【請求項２】
前記本体部には、前記鉄骨柱に圧接されるねじ部材を螺合させるための孔が設けられたことを特徴とする請求項１記載の吊り治具。
【請求項３】
前記係合片には前記ねじ部材を螺合可能な孔が設けられたことを特徴とする請求項２記載の吊り治具。
【請求項４】
前記本体部には把持部が設けられたことを特徴とする請求項１記載の吊り治具。
【発明の詳細な説明】
【技術分野】
【０００１】
本発明は建築用の鉄骨柱を立設させるための吊り治具に関し、特に鉄骨柱への取り付けが容易で且つ鉄骨柱を確実に保持することが可能な吊り治具に関する。
【背景技術】
【０００２】
住宅等の建物において、躯体に鉄骨を使用した構造が知られている。建築現場等における鉄骨柱の建方は、従来では、例えば図７及び図８に示す吊り治具を用いて行われていた。
図７及び図８に示す吊り治具１００は、柱頭係合部１０１と、ロープ１０２と、ロープ１０２に取着された取付具１０３とを備えて構成されている。ロープは柱頭係合部１０１に合計４本が接続されており、このうち２本はクレーンのフック掛け１０５に連結されている。他の２本のロープ１０２の先端には、取付具１０３が取着され、この取付具１０３が鉄骨柱１０６に設けられた作業用梯子の係合具１０７に取着されるように構成されている。
鉄骨柱に設けられた係合具１０７とは、図８に示すような円筒形状をしている。この係合具１０７は、鉄骨柱に作業用の梯子を取り付けるために設けられているものである。
作業用の梯子は、鉄骨柱が立設・固定された後に、鉄骨柱１０６の係合具１０７に引っ掛けられて取り付けられる。この梯子は、鉄骨柱１０６の立設後に、吊り治具１００を取り外す等の各種作業に用いられるものである。
係合具１０７は、図９に示すような部材１０７ａからなる。この部材１０７ａは、鉄骨柱１０６に固着されたねじ穴部材１０７ｂに取着されている。ねじ穴部材１０７ｂの形状を図１０に示す。このねじ穴部材１０７ｂは、鉄骨柱１０６に穿設された孔に嵌着されている。
鉄骨柱１０６を立設するときは、取付具１０３を鉄骨柱１０６の係合具１０７に取り付ける。取付具１０３が係合具１０７に取り付けられた状態を図１１に示す。
このように、取付具１０３のコ字形のフック１０３ａを、係合具１０７を上下方向から挟み込むように取り付ける。そして、フック１０３ａと係合具１０７を貫通してボルト１０３ｂを配設する。このようにして、吊り治具１００の取付具１０３が、鉄骨柱１０６の係合具１０７において固定される。
このようにして、鉄骨柱１０６に吊り治具１００が固定されたら、フック掛け１０５をクレーンのフックに接続し、クレーンで引き上げる。こうすることにより、鉄骨柱１０６は柱頭係合部１０１が取り付けられた側から持ち上げられ、最終的に垂直に立設される。
【０００３】
上記のように、従来の吊り治具１００によれば、鉄骨柱１０６を立設させることが可能である。しかし、柱頭係合部１０１の上下側に複数本のロープ１０２を備えた構成とされているため、吊り治具１００を取り扱う際にロープ１０２が絡まること等があり、取り扱いに手間がかかるという問題があった。
また、ロープ１０２の先端に設けられた取付具１０３を、それぞれ個々に鉄骨柱１０６の係合具１０７に取り付ける構成であるため、この取り付けに手間がかかるという問題があった。
上記問題を解決するために、鉄骨柱への取り付けを容易に行うことが可能な鉄骨柱の吊り治具が提案されている（例えば、特許文献１参照）。
【特許文献１】特許第３０５３２９６号公報（第３頁、図４）
【発明の開示】
【発明が解決しようとする課題】
【０００４】
上記特許文献１に開示された吊り治具は、略コの字状の第１部材１２ａと、枢支ピン１３ａ周りで揺動開閉自在に枢着された第２部材とを備え、構真柱Ｂを立設するときは、これら第１、第２部材１２ａ，１２ｂを構真柱Ｂに係合させる。
そして、第２部１２ｂを枢支ピン１３ａで固定した後、クレーンで吊り治具を引き上げる。吊り治具は、構真柱Ｂに設けられた接合プレート２に係合して固定され、構真柱Ｂは引き上げられて垂直に立設される。
特許文献１に開示された吊り治具は、吊り治具で構真柱Ｂを吊り上げるとき、吊り治具は構真柱Ｂに設けられた接合プレート２に引っ掛けられて固定されているだけであるため、より確実に吊り治具を固定できる構成であれば好ましい。
また、特許文献１に開示された吊り治具は、構真柱Ｂに吊り治具を取り付けるときに、第２部１２ｂを開閉するために、枢支ピン１３ａを抜き差しする必要があり、取り付けに手間がかかるという不都合があった。
本発明の目的は、鉄骨柱への取り付けが容易であり、且つ鉄骨柱を確実に保持して立設させることが可能な、鉄骨柱の吊り治具を提供することにある。
【課題を解決するための手段】
【０００５】
前記課題は、請求項１に係る鉄骨柱の吊り治具によれば、吊り上げ装置に連結されて建築用の鉄骨柱を懸吊する吊り治具であって、前記鉄骨柱の外周部には、作業用の梯子を取り付けるための、中空部を有する係合部が設けられ、該吊り治具は、前記鉄骨柱に三方から係合可能な略コ字形の本体部と、該本体部に設けられ、前記吊り上げ装置との連結部材が配設される連結部材配設部と、前記本体部の内壁面に設けられ、前記鉄骨柱の係合部に、前記鉄骨柱の基部側から頂部側に向けて差し込まれる係合片とを備えたことにより解決される。
本発明の吊り治具によれば、鉄骨柱に嵌合可能な本体部の内壁側に、鉄骨柱に梯子を取り付けるために設けられた係合部に係合可能な係止片を備えており、この係止片が梯子用の係合部に差し込まれることにより、鉄骨柱に固定される。
そして、本体部には連結部材としてのロープが接続され、このロープが吊り上げ装置への接続部材であるフック掛けに接続され、フック掛けがクレーンにより引き上げられることにより、鉄骨柱を立設することができる。
【０００６】
なお、前記本体部に、前記鉄骨柱に圧接されるねじ部材が設けられていると、このねじ部材により、吊り治具を鉄骨柱により確実に固定することができ好適である。
このとき、前記係合片にも、前記ねじ部材を螺合可能な孔が設けられた構成とすると、ねじ部材が２箇所で保持されることになり、ねじ部材の安定性を保つことができ好適である。
さらに、前記本体部には把持部が設けられていると、吊り治具を取り付けたり或いは取り外すときに、この把持部を持って作業を行うことができ、作業効率の向上を図ることが可能となる。
【発明の効果】
【０００７】
以上のように、本発明の吊り治具によれば、中空部を備えた鉄骨柱の梯子用係合部を利用して、この梯子用係合部に係合片を差し込むことにより、鉄骨柱に吊り治具を取り付けるように構成されているので、簡単な構成で、効率良く鉄骨柱を立設させることが可能となる。
また、係合片を梯子用係合部に差し込むように構成されているので、この係合片を介して吊り治具が鉄骨柱に確実に固定され、鉄骨柱の引き上げを安定して行うことが可能となる。
【発明を実施するための最良の形態】
【０００８】
以下、本発明の一実施形態について、図を参照して説明する。なお、以下に説明する部材、配置等は、本発明を限定するものではなく、本発明の趣旨に沿って各種改変することができることは勿論である。図１及び図２は本実施形態に係る吊り治具を示す説明図、図３は鉄骨柱の断面図、図４は吊り治具の使用状態を示す説明図である。
【０００９】
本発明は、建物の躯体に使用される鉄骨柱を、横倒しに仮置きさせた状態から、立設させた状態にするために用いられる吊り治具１０に関するものである。
本例の吊り治具１０により立設される鉄骨柱２０は、図３に示すように、断面矩形の鉄骨柱であり、本体２１の外周面２２に、作業用の梯子を係合する係合具２３が設けられている。
係合具２３は、従来例で示したものと異なり、屈曲した板状部材を、溶接等により本体２１の外周面２２に取り付けることにより形成されている。板状部材は、鉄骨柱２０の上下方向に、所定間隔で設けられている。
係合具２３と、鉄骨柱２０の外周面２２との間には、隙間２４が形成されている。この隙間２４が、梯子との係合部として使用される。
作業中に梯子を使用する場合は、この隙間２４のうち２つに、梯子の端部を引っ掛けて使用する。
梯子との係合部を設けるための係合具２３が上記構成とされていることにより、従来例で示した鉄骨柱のように、鉄骨柱２０に係合具を取り付けるための孔を設ける必要がなくなる。鉄骨柱に孔を設ける作業には手間がかかるため、本例で示される鉄骨柱２０のような係合具２３を用いることが望ましい。また、本例の係合具２３によれば、鉄骨柱２０に孔を設ける必要がないため、鉄骨柱２０のより高い強度を得ることができ好適である。
本例の鉄骨柱２０は、上記梯子用の係合部、すなわち隙間２４が、外周面に三箇所形成されている。なお、梯子用の係合部は、三箇所ではなく四箇所設けられていても良い。
【００１０】
吊り治具１０は、鉄骨柱２０に三方から係合する略コ字形の本体部１１と、この本体部１１の内壁に設けられた係合片１２と、連結部材としてのロープ１３が接続される、ロープ接続部１４とを備えている。このロープ接続部１４が、請求の範囲における連結部材配設部に相当するものである。
本体部１１は、鉄骨柱２０の係合具２３が設けられている箇所に嵌合可能な大きさに形成されている。
本体部１１の内壁面１１ａには、吊り治具１０を鉄骨柱２０に取り付けたときに、鉄骨柱２０の梯子用の係合部（隙間２４）に差し込まれる係合片１２が設けられている。係合片１２は本体部１１の各内壁面１１ａにそれぞれ設けられている。吊り治具１０が鉄骨柱２０に取り付けられたとき、この係合片１２の前側表面が、鉄骨柱２０の表面に当接する。
係合片１２と、鉄骨柱２０の係合具２３とは略同じ高さに形成されている。係合片１２は内壁面１１ａとの間に所定の隙間１２ａが空くようにして配設されている。
隙間１２ａは、鉄骨柱２０の梯子用の係合具２３の厚さと同一か或いは若干大きめに形成されている。
これは、鉄骨柱２０に吊り治具１０を取り付けたとき、吊り治具１０の係合片１２が、鉄骨柱２０の係合具２３の隙間２４に差し込まれるためである。係合片１２に、上記隙間１２ａが形成されていることにより、係合片１２が隙間２４に差し込まれたときに、係合片１２と本体部１１の内壁面１１ａとで、係合具２３を挟持することが可能となる。
さらに、吊り治具１０の本体部１１には、係合片１２の上方位置に孔１５が設けられている。この孔１５にはねじ部材３０が螺合される。このねじ部材３０は、後述するように、吊り治具１０側から柱部材２０を押圧し、吊り治具１０を鉄骨柱２０に対して強固に固定するためのものである。
ロープ接続部１４は、本体部１１の各外側面に設けられている。ロープ接続部１４は、外側面から突出して設けられており、ロープ１３を挿通可能な孔１４ａが形成されている。
このロープ接続部に取り付けられるロープ１３は、フック掛け４０に接続される。フック掛け４０は、吊り上げ装置としてのクレーン（図示せず）のフックに接続される。
【００１１】
図４に、吊り治具１０の使用状態を示す。図４に示すように、吊り治具１０は、横倒し状態に仮置きされた鉄骨柱２０に取り付けられる。吊り治具１０は、鉄骨柱２０が立設されたときに上方になる端部側に取り付けられる。吊り治具１０は、先ず、鉄骨柱２０の梯子取付用の係合具２３が設けられていない箇所に嵌合される。吊り治具１０は、係合片１２の先端が、係合具２３側を向くように、鉄骨柱２０に嵌合される。
次に、吊り治具１０を鉄骨柱２０に固定する。このとき、吊り治具１０を鉄骨柱２０の頂部側へ向けてスライドさせ、吊り治具１０の係合片１２を、鉄骨柱２０の係合具２３の隙間２４に差し込む。このようにして、吊り治具１０が鉄骨柱２０に取付及び固定される。
さらに、吊り治具１０の孔１５にそれぞれねじ部材３０を螺合させ、鉄骨柱２０に向けてねじ部材３０を締め込む。このようにして、吊り治具１０が鉄骨柱２０に確実に固定される。このとき、３本のねじ部材３０を締め込むことにより、このねじ部材３０を介して吊り治具１０が鉄骨柱２０に強固に固定される。
次いで、吊り治具１０と、クレーンのフック掛け４０をロープ１３で接続する。このとき、ロープ１３の先端部が輪状に形成されていると、フック掛け４０の係合部４１に簡単に取り付けることができ好適である。
吊り治具１０とフック掛け４０がロープ１３で接続されたら、フック掛け４０をクレーンのフックに取り付ける。そして、クレーンを作動させ、フック掛け４０を吊り上げる。
フック掛け４０が吊り上げられると、フック掛け４０に接続された吊り治具１０、及び吊り治具１０に接続された鉄骨柱２０が吊り上げられる。吊り治具１０は、鉄骨柱２０の頂部側に配設されているので、鉄骨柱２０は頂部側から吊り上げられ、徐々に立ち上がる。鉄骨柱２０が立設するまで、クレーンでの引き上げを行う。鉄骨柱２０が立設されたら、鉄骨柱２０を固定し、吊り治具１０を撤去する。
【００１２】
図５及び図６は、他の実施例に係る吊り治具１０を示す説明図である。本例において、前記実施例と同一部材には、同一符号を付してその説明を省略する。
図５及び図６に示す吊り治具１０は、前記実施例の吊り治具の係合片よりも、高さのある係合片１２を備えている。そして、吊り治具１０を固定するためのねじ部材３０の挿通孔１５が、吊り治具１０の壁面だけでなく、係合片１２にも、孔１２ｂとして設けられている。
このような構成により、ねじ部材３０が２箇所の孔１５，１２ｂを貫通する構成とすることになり、ねじ部材３０を締め込んだときに、ねじ部材３０を適切な位置でずれないように確実に保持することが可能となる。
また、本実施例に係る吊り治具１０は、ロープ接続部１４が、本体部１１の上方に突出して設けられている。そして、前記実施例よりも大きめの孔１４ａが形成されている。ロープ接続部１４をこのような構成とすることにより、より簡単にロープ１３を配設することが可能となる。
さらに、本実施例に係る吊り治具１０は、把持部１６を備えている。把持部１６が設けられていることにより、吊り治具１０を鉄骨柱２０へ取り付けたり或いは取り外したりするときに、この把持部１６を持って行うことができ、作業効率を向上させることが可能となる。
【図面の簡単な説明】
【００１３】
【図１】本発明に係る吊り治具を示す斜視図である。
【図２】本発明に係る吊り治具を示す説明図である。
【図３】鉄骨柱の断面図である。
【図４】吊り治具の使用状態を示す説明図である。
【図５】他の実施例を示す説明図である。
【図６】他の実施例を示す説明図である。
【図７】従来例を示す説明図である。
【図８】従来例を示す説明図である。
【図９】従来例を示す説明図である。
【図１０】従来例を示す説明図である。
【図１１】従来例を示す説明図である。
【符号の説明】
【００１４】
１０  吊り治具、  １１  本体部、  １２  係合片、  １２ａ  隙間、  １３  ロープ、  １４  ロープ接続部、  １５  孔、  １６  把持部、  ２０  鉄骨柱、  ２１  本体、  ２２  外周面、  ２３  係合具、  ２４  隙間、  ３０  ねじ部材、  ４０  フック掛け、  ４１  係合部
【図１】
2005290786.tif 000003
【図２】
2005290786.tif 000004
【図３】
2005290786.tif 000005
【図４】
2005290786.tif 000006
【図５】
2005290786.tif 000007
【図６】
2005290786.tif 000008
【図７】
2005290786.tif 000009
【図８】
2005290786.tif 000010
【図９】
2005290786.tif 000011
【図１０】
2005290786.tif 000012
【図１１】
2005290786.tif 000013